(57)【要約】
【課題】　着用時に上着の胴部を身体に固定化することができ、脊髄保護パットの部分を脊髄に常時密着させ、激しい動きにも脊髄保護パットの位置ずれの発生がなく、転倒発生時に脊髄を有効に保護することができる安全性の高いスポーツ用衣服を提供する。
【解決手段】　上着３の胴部１における少なくとも背中の部位に脊髄保護パット４を設けたスポーツ用衣服において、上記上着３の胴部１における腰部分１ａの部位に、この上着３の腰部分１ａを人体の腰部に巻締め固定する腰ベルト６を取り付け、腰ベルト６は両端を面ファスナー７で係止する。
【選択図】　図１
0003100069.tif 000002
【実用新案登録請求の範囲】
【請求項１】
上着の胴部で少なくとも背中の部位に脊髄保護パットを設けたスポーツ用衣服において、上記上着の胴部で腰部分の部位に、この腰部分を人体の腰部に巻締め固定する腰ベルトを取り付けたことを特徴とするスポーツ用衣服。
【請求項２】
上記脊髄保護パットは複数に分割され、上着の胴部で背中の部位に所定の間隔で上下に並べた配置で設けられていることを特徴とする請求項１に記載のスポーツ用衣服。
【請求項３】
上記上着の胴部で両側肩部に肩保護パットが設けられていることを特徴とする請求項１又は２に記載のスポーツ用衣服。
【請求項４】
上記腰ベルトは、上着の胴部で腰部分における背中側に縫着されて腰部分の他の部位と遊離し、その両端を上記腰部分における前面側で重ねることができる長さに設定され、この腰ベルトの両端に係脱自在となる一対の面ファスナーを設けたことを特徴とする請求項１乃至３の何れかに記載のスポーツ用衣服。
【考案の詳細な説明】
【技術分野】
【０００１】
　この考案は、スノーボードやローラプレート等のスポーツや競技を行う場合に着用し、転倒した時に身体を保護するためのスポーツ用衣服に関する。
【背景技術】
【０００２】
　スノーボードやローラプレート等のスポーツや競技を行う場合に、転倒による事故から身体を守るための防具として、身体の保護せんとする部位に衝撃吸収用の保護パットを設けたスポーツ用衣服を着用することが行われており、特に、上述したスノーボードやローラプレート等の競技においては、後方への転倒の発生が生じやすく、このような後方への転倒による脊髄の損傷が重大な事故を引き起こすことになるので、スノーボードやローラプレート用のスポーツ用衣服は、上着の胴部における少なくとも背中の部位に脊髄保護パットを設けた構造になっている。
【０００３】
　上記した従来のスポーツ用衣服は、脊髄保護パットを上着の胴部で背中の部位に、上下に連続した長い状態や、複数に分割して所定の間隔で上下に並べた配置で設けられ、この上着を着用することによって、脊髄保護パットで脊髄の首下部分から尾てい骨の範囲を保護するようになっている（例えば、特許文献１参照）。
【０００４】
【特許文献１】特開２００２−３０５０２号公報（図２ｂ、図４ｂ）
【考案の開示】
【考案が解決しようとする課題】
【０００５】
　ところで、従来のスポーツ用衣服の上着は、単に頭から被って上半身を覆うように着用するので、上着の胴部は身体に対する固定部分がなく、このため、通常の状態でも身体の背中から脊髄保護パットの部分が遊離し、激しい動きをすると上着の胴部が捲れ上がったり、また、胴部が周方向にずれることにより、脊髄保護パットが脊髄に対して位置ずれし、転倒発生時に脊髄を有効に保護することができないという事態が生じる危険がある。
【０００６】
　そこで、この考案の課題は、着用した状態で、上着の胴部を身体に固定化することができ、脊髄保護パットの部分を脊髄に常時密着させ、激しい動きにも脊髄保護パットの位置ずれの発生がなく、転倒発生時に脊髄を有効に保護することができる安全性の高いスポーツ用衣服を提供することにある。
【課題を解決するための手段】
【０００７】
　上記のような課題を解決するため、この考案は、上着の胴部で少なくとも背中の部位に脊髄保護パットを設けたスポーツ用衣服において、上記上着の胴部で腰部分の部位に、この腰部分を人体の腰部に巻締め固定する腰ベルトを取り付けた構成を採用したものである。
【０００８】
　上記脊髄保護パットは複数に分割され、上着の胴部で背中の部位に所定の間隔で上下に並べた配置で設けられているようにしたり、上記上着の胴部で両側肩部に肩保護パットが設けられている構造とすることができる。
【０００９】
　また、上記腰ベルトは、上着の胴部で腰部分における背中側に縫着されて腰部分の他の部位と遊離し、その両端を上記腰部分における前面側で重ねることができる長さに設定され、この腰ベルトの両端に係脱自在となる一対の面ファスナーを設けた構造とするのが好ましい。
【００１０】
　上記上着は、強靭な材料を用いて頭から被って上半身を覆うように縫製され、また、腰ベルトは両側に分離された二本からなり、この二本の腰ベルトの後端部がそれぞれ上着の胴部で腰部分における背中側の両側の位置に縫着され、身体の胴部を巻き締めた状態で一対の面ファスナーを係合させることにより、上着の胴部を身体に固定化することができる。
【考案の効果】
【００１１】
　以上のように、この考案によると、上着の胴部で少なくとも背中の部位に脊髄保護パットを設けたスポーツ用衣服において、上記上着の胴部で腰部分の部位に、この腰部分を人体の腰部に巻締め固定する腰ベルトを取り付けたので、上着の着用状態で腰ベルトを身体の腰部に巻締め状に固着すると、上着の胴部は身体に固定化され、背中の部位に設けた脊髄保護パットが位置決めされて身体の脊髄の外側に密着すると共に、腰ベルトによる固定化によって、激しい運動をしても上着の胴部の捲れ上がりや周方向への位置ずれの発生がなく、従って、脊髄保護パットによる身体の脊髄を保護する状態を常に維持でき、転倒時の打撲による脊髄の損傷事故の発生を確実に防いで身体を守ることで安全性を向上させることができる。
【００１２】
　また、腰ベルトは、上着の胴部の腰部分における背中側に縫着し、その両端を上着の腰部分における前面側で重ねることができる長さにしたので、胴部の腰部分における背中側を確実に身体の背中に引き寄せることができ、脊髄保護パットを確実に身体の脊髄に密着させることができ、また、腰ベルトの両端に係脱自在となる一対の面ファスナーを設けたので、着用者の腰廻り寸法の変化に対して広範な長さ調節が可能になる。
【考案を実施するための最良の形態】
【００１３】
　以下、この考案の実施の形態を図示例と共に説明する。
【００１４】
　図示のように、スポーツ用衣服Ａは、強靭な材料を用い、頭から被って上半身を覆うようにした胴部１とその両側肩部に設けた長袖２からなる上着３に縫製され、この上着３における胴部１の背中の部位に脊髄保護パット４と両側の肩部に肩保護パット５が設けられ、上記上着３の胴部１で腰部分１ａの部位に、この腰部分１ａを人体の腰部に巻締め固定するための腰ベルト６を取り付け、この腰ベルト６の両端に係脱自在となる一対の面ファスナー７を設けた構造になっている。
【００１５】
　上記脊髄保護パット４と肩保護パット５は、綿の詰め物やスポンジ、弾性のあるゴム、発泡合成樹脂等の衝撃吸収材を用い、身体の保護したい部位に応じた大きさと形状に形成され、特に脊髄保護パット４は複数に分割され、図３のように、上着３の胴部１で背中の部位において外布と内布の間に縫い込まれ、首部から尾てい骨に該当する範囲にわたって、所定の間隔で上下に並べた配置で設けられている。
【００１６】
　上記腰ベルト６は、図示の場合、両側に分離された二本のベルト単体６ａ、６ａからなり、この二本のベルト単体６ａ、６ａの後端部がそれぞれ上着３の胴部１で腰部分１ａにおける背中側の外面で、脊髄保護パット４の配置範囲を挟む両側の位置に縫着され、腰部分１ａの他の部分と遊離し、身体の胴部を巻き締めた状態で一対の面ファスナー７を係合させることにより、上着３の胴部１を身体に固定化することができるようになっている。
【００１７】
　この腰ベルト６は、図示省略したが、身体の胴部を巻き締めることができる連続した一本物を用い、その中央部分を上着３の胴部１で腰部分１ａにおける背中側の外面に縫着するようにしてもよい。
【００１８】
　また、腰ベルト６の前部両端を一対の面ファスナー７で係止するようにしたので、前部両端の係止する位置を調整することができ、着用者の腰廻り寸法の変化に対して広範に対応することができるという利点がある。
【００１９】
　この考案のスポーツ用衣服Ａは、上記のような構成であり、スノーボードやローラプレート等のスポーツや競技を行う場合に上着３を着用する。
【００２０】
　上記上着３は、胴部１の背中の部位に設けた脊髄保護パット４が、身体の脊髄の外側に沿い、肩パット５が肩を保護する配置となり、この着用状態で二本のベルト単体６ａ、６ａを引っ張りながら、身体の腰部の前で面ファスナー７を係合させることにより、腰ベルト６で上着３の胴部１における腰部分１ａを外側から身体の腰部に巻締め状に固着する。
【００２１】
　このように、上着３の胴部１における腰部分１ａを腰ベルト６で身体の腰部に巻締め状に固着すると、上着３の胴部１は身体に固定化され、脊髄保護パット４が位置決めされて身体の脊髄の外側に密着すると共に、激しい運動をしても上着３の胴部１の捲れ上がりや周方向への位置ずれの発生がなく、このため、脊髄保護パット４による身体の脊髄を保護する状態を常に維持でき、転倒時の打撲による脊髄の損傷事故の発生を確実に防いで身体を守ることができ、上記したスポーツや競技時の安全性を確保することができる。
【図面の簡単な説明】
【００２２】
【図１】この考案に係るスポーツ用衣服の要部を切り欠いた斜視図
【図２】この考案に係るスポーツ用衣服の正面図
【図３】この考案に係るスポーツ用衣服の縦断側面図
【符号の説明】
【００２３】
　Ａ　　スポーツ用衣服
　１　　胴部
　２　　長袖
　３　　上着
　４　　脊髄保護パット
　５　　肩パット
　６　　腰ベルト
　６ａ　ベルト単体
　７　　面ファスナー
【図１】
0003100069.tif 000003
【図２】
0003100069.tif 000004
【図３】
0003100069.tif 000005